(57)【要約】【課題】プラズマディスプレイパネルを提供すること。【解決手段】所定間隔離れて互いに対向するように配置される第１基板１１０及び第２基板１２０と，第１基板１１０と第２基板１２０との間に設けられ，第１基板１１０と第２基板１２０との間の空間を区画して複数の放電セル１１４を形成する複数の隔壁１１３ａ，１１３ｂと，第１基板１１０上に形成される複数のアドレス電極１１１と，アドレス電極１１１を覆うように形成される第１誘電体層１１２と，第２基板１２０と隔壁１１３ａとの間に設けられ，放電セル１１４の内部に面放電を起こすように配置される複数の第１維持電極１２１ａ及び第２維持電極１２１ｂと，第１維持電極１２１ａ及び第２維持電極１２１ｂを覆うように形成される第２誘電体層１２３と，放電セル１１４の内壁に形成される蛍光体層１１５とを備えるプラズマディスプレイパネルである。【選択図】図４
2006253128.tif 000002
【特許請求の範囲】
【請求項１】
所定間隔離れて互いに対向するように配置される第１基板及び第２基板と；
前記第１基板と前記第２基板との間に設けられ，前記第１基板と前記第２基板との間の空間を区画して複数の放電セルを形成する複数の隔壁と；
前記第１基板上に形成される複数のアドレス電極と；
前記アドレス電極を覆うように形成される第１誘電体層と；
前記第２基板と前記隔壁との間に設けられ，前記放電セルの内部に面放電を起こすように配置される複数の第１維持電極及び第２維持電極と；
前記第１維持電極及び前記第２維持電極を覆うように形成される第２誘電体層と；
前記放電セルの内壁に形成される蛍光体層と；
を備えることを特徴とする，プラズマディスプレイパネル。
【請求項２】
前記隔壁は，第１隔壁と，前記第１隔壁と交差する第２隔壁とから構成され，
前記第１維持電極及び前記第２維持電極は，前記第１隔壁又は前記第２隔壁のうちいずれか一つと，前記第２基板との間に位置することを特徴とする，請求項１に記載のプラズマディスプレイパネル。
【請求項３】
前記第１隔壁は，前記アドレス電極と平行であり，前記第２隔壁は，前記アドレス電極と直交し，前記第１維持電極及び前記第２維持電極は，前記第１隔壁と前記第２基板との間に位置することを特徴とする，請求項２に記載のプラズマディスプレイパネル。
【請求項４】
前記第２隔壁と前記第２基板との間には，前記複数の第１維持電極を相互に電気的に連結する第１連結電極と，前記複数の第２維持電極を相互に電気的に連結する第２連結電極とが交互に設けられることを特徴とする，請求項３に記載のプラズマディスプレイパネル。
【請求項５】
前記第２基板の内面及び前記第２誘電体層の表面には，保護膜が形成されることを特徴とする，請求項１〜４のいずれかに記載のプラズマディスプレイパネル。
【請求項６】
所定間隔離れて互いに対向するように配置される第１基板及び第２基板と；
前記第１基板と前記第２基板との間に上下に互いに離れて設けられ，前記第１基板と前記第２基板との間の空間を区画して複数の放電セルを形成する複数の下部隔壁及び上部隔壁と；
前記第１基板上に形成される複数のアドレス電極と；
前記アドレス電極を覆うように形成される第１誘電体層と；
前記下部隔壁と前記上部隔壁との間に設けられ，前記放電セルの内部に面放電を起こすように配置される複数の第１維持電極及び第２維持電極と；
前記第１維持電極及び前記第２維持電極を覆うように形成される第２誘電体層と；
前記放電セルの内壁に形成される蛍光体層と；
を備えることを特徴とする，プラズマディスプレイパネル。
【請求項７】
前記下部隔壁は，第１下部隔壁と，前記第１下部隔壁と交差する第２下部隔壁とから構成され，
前記上部隔壁は，第１上部隔壁と，前記第１上部隔壁と交差する第２上部隔壁とから構成され，
前記第１維持電極及び前記第２維持電極は，前記第１下部隔壁と前記第１上部隔壁との間，又は前記第２下部隔壁と前記第２上部隔壁との間のうちいずれかに位置することを特徴とする，請求項６に記載のプラズマディスプレイパネル。
【請求項８】
前記第１下部隔壁及び前記第１上部隔壁は，前記アドレス電極と平行であり，前記第２下部隔壁及び前記第２上部隔壁は，前記アドレス電極と直交し，前記第１維持電極及び前記第２維持電極は，前記第１下部隔壁と前記第１上部隔壁との間に位置することを特徴とする，請求項７に記載のプラズマディスプレイパネル。
【請求項９】
前記第２下部隔壁と前記第２上部隔壁との間には，前記複数の第１維持電極を相互に電気的に連結する第１連結電極と，前記複数の第２維持電極を相互に電気的に連結する第２連結電極とが交互に設けられることを特徴とする，請求項８に記載のプラズマディスプレイパネル。
【請求項１０】
前記第２誘電体層の表面には，保護膜が形成されることを特徴とする，請求項６〜９のいずれかに記載のプラズマディスプレイパネル。
【請求項１１】
前記第２基板と前記上部隔壁との間に設けられ，前記放電セルの内部に面放電を起こすように配置される複数の第３維持電極及び第４維持電極と，
前記第３維持電極及び前記第４維持電極を覆うように形成される第３誘電体層と，
をさらに備えることを特徴とする，請求項６〜１０のいずれかに記載のプラズマディスプレイパネル。
【請求項１２】
前記上部隔壁は，第１上部隔壁と，前記第１上部隔壁と交差する第２上部隔壁とから構成され，
前記第３維持電極及び前記第４維持電極は，前記第１上部隔壁または第２上部隔壁のうちいずれかと，前記第２基板との間に位置することを特徴とする，請求項１１に記載のプラズマディスプレイパネル。
【請求項１３】
前記第１上部隔壁は，前記アドレス電極と平行であり，前記第２上部隔壁は，前記アドレス電極と直交し，前記第３維持電極及び前記第４維持電極は，前記第１上部隔壁と前記第２基板との間に位置することを特徴とする，請求項１２に記載のプラズマディスプレイパネル。
【請求項１４】
前記第２上部隔壁と前記第２基板との間には，前記複数の第３維持電極を相互に電気的に連結する第３連結電極と，前記複数の第４維持電極を相互に電気的に連結する第４連結電極とが交互に設けられることを特徴とする，請求項１３に記載のプラズマディスプレイパネル。
【請求項１５】
前記第３誘電体層の表面には，保護膜が形成されることを特徴とする，請求項１１〜１４のいずれかに記載のプラズマディスプレイパネル。
【発明の詳細な説明】
【技術分野】
【０００１】
本発明は，プラズマディスプレイパネル（Ｐｌａｓｍａ  Ｄｉｓｐｌａｙ  Ｐａｎｎｅｌ：ＰＤＰ）に係り，より詳細には，輝度及び発光効率を向上させ，高画質を具現できるＰＤＰに関する。
【背景技術】
【０００２】
ＰＤＰは，電極間に直流または交流電圧を印加してプラズマ放電を起こし，この放電過程で発生する紫外線によって蛍光体から可視光が発散されることによって画像を形成する装置である。
【０００３】
このようなＰＤＰは，放電形式によって直流型（Ｄｉｒｅｃｔ  Ｃｕｒｒｅｎｔ（ＤＣ）  ｔｙｐｅ）と交流型（Ａｌｔｅｒｎａｔｉｎｇ  Ｃｕｒｒｅｎｔ（ＡＣ）  ｔｙｐｅ）とに分類される。直流型ＰＤＰでは，あらゆる電極が放電空間に露出されることによって電極間に電荷の移動が直接的に行われる。そして，交流型ＰＤＰでは，少なくとも一つの電極が誘電体層で覆われることによって電極間に直接的な電荷の移動が行われない代わりに，壁電荷によって放電が行われる。
【０００４】
また，ＰＤＰは，電極の配置構造によって対向放電型と面放電型とに分類される。対向放電型ＰＤＰでは，対応する一対の電極がそれぞれ上部基板と下部基板とに配置されることによって，放電が基板に垂直方向に発生する。そして，面放電型ＰＤＰでは，対応する一対の電極が同一基板上に配置されることによって，放電が基板に平行な方向に発生する。対向放電型ＰＤＰは，発光効率が高い一方，プラズマにより蛍光体層が容易に劣化するという短所があって，近年は面放電型ＰＤＰが主流をなしている。
【０００５】
図１は，従来の一般的な面放電型ＰＤＰを分離して示す斜視図である。そして，図２は，図１に示すＰＤＰの断面図である。
【０００６】
図１及び図２に示すように，従来のＰＤＰは，所定間隔で互いに対向する下部基板１０及び上部基板２０を備える。ここで，下部基板１０と上部基板２０との間には，プラズマ放電が発生する放電空間が形成される。
【０００７】
下部基板１０の上面には，複数のアドレス電極１１が形成されており，このアドレス電極１１は，第１誘電体層１２により覆われている。第１誘電体層１２の上面には，複数の隔壁１３が互いに所定間隔離れて形成されている。隔壁１３は，放電空間を区画して放電セル１４を形成し，放電セル１４の間の電気的，光学的な干渉を防止する。
放電セル１４の内部には，一般的にネオン（Ｎｅ）ガスとキセノン（Ｘｅ）ガスとが混合された放電ガスが満たされる。そして，放電セル１４の内壁をなす第１誘電体層１２の上面及び隔壁１３の側面には，蛍光体層１５が所定の厚さに塗布されている。
【０００８】
上部基板２０は，可視光が透過されうる透明基板であって，主にガラスからなり，隔壁１３が形成された下部基板１０に結合される。上部基板２０の下面には，アドレス電極１１と直交する第１維持電極２１ａ及び第２維持電極２１ｂが対をなして形成されている。第１維持電極２１ａ及び第２維持電極２１ｂは，可視光が透過されるように，主にＩＴＯ（Ｉｎｄｉｕｍ  Ｔｉｎ  Ｏｘｉｄｅ）のような透明な導電性の材料からなる。そして，第１維持電極２１ａ及び第２維持電極２１ｂのライン抵抗を減らすために，第１維持電極２１ａ及び第２維持電極２１ｂのそれぞれの下面には，金属材質からなる第１バス電極２２ａ及び第２バス電極２２ｂが，第１維持電極２１ａ及び第２維持電極２１ｂより狭い幅で形成されている。このような第１維持電極２１ａ及び第２維持電極２１ｂと第１バス電極２２ａ及び第２バス電極２２ｂとは，透明な第２誘電体層２３により覆われている。第２誘電体層２３の下面には，保護膜２４が形成されている。保護膜２４は，プラズマ粒子のスパッタリングによる第２誘電体層２３の損傷を防止し，２次電子を放出して放電電圧を下げる役割を行うものであって，一般的に酸化マグネシウム（ＭｇＯ）からなる。
【発明の開示】
【発明が解決しようとする課題】
【０００９】
上記のような構造のＰＤＰでは，放電セル１４から発生して上部基板２０側に出る可視光の放出量が，第１維持電極２１ａ及び第２維持電極２１ｂによって制限されるという問題点がある。このような問題点を解決するために，第１維持電極２１ａ及び第２維持電極２１ｂを隔壁１３の近くに位置させれば，第１維持電極２１ａと第２維持電極２１ｂとの間隔が広くなって，放電電圧が上昇するという問題点が発生する。また，高画質を具現するためには，放電セル１４のボリュームを減らさねばならないが，上記のような構造のＰＤＰでは，放電セル１４のボリュームの減少によって放電不良が発生する可能性がある。
【００１０】
そこで，本発明は，上記問題に鑑みてなされたものであり，本発明の目的とするところは，輝度及び発光効率を向上させ，高画質を具現可能な，新規かつ改良されたＰＤＰを提供することにある。
【課題を解決するための手段】
【００１１】
上記課題を解決するために，本発明のある観点によれば，所定間隔離れて互いに対向するように配置される第１基板及び第２基板と，第１基板と第２基板との間に設けられ，第１基板と第２基板との間の空間を区画して複数の放電セルを形成する複数の隔壁と，第１基板上に形成される複数のアドレス電極と，アドレス電極を覆うように形成される第１誘電体層と，第２基板と隔壁との間に設けられ，放電セルの内部に面放電を起こすように配置される複数の第１維持電極及び第２維持電極と，第１維持電極及び第２維持電極を覆うように形成される第２誘電体層と，放電セルの内壁に形成される蛍光体層とを備えることを特徴とする，プラズマディスプレイパネルが提供される。
【００１２】
また，隔壁は，第１隔壁と，第１隔壁と交差する第２隔壁とから構成され，第１維持電極及び第２維持電極は，第１隔壁又は第２隔壁のうちいずれかと第２基板との間に位置してもよい。
【００１３】
また，第１隔壁は，アドレス電極と平行で，第２隔壁は，アドレス電極と直交してもよい。さらに，第１維持電極及び第２維持電極は，第１隔壁と第２基板との間に位置してもよい。
【００１４】
また，第２隔壁と第２基板との間には，複数の第１維持電極を相互に電気的に連結する第１連結電極と，複数の第２維持電極を相互に電気的に連結する第２連結電極とを交互に設けてもよい。
【００１５】
また，第２基板の内面及び第２誘電体層の表面には，保護膜を形成してもよい。
【００１６】
本発明の別の観点によれば，所定間隔離れて互いに対向するように配置される第１基板及び第２基板と，第１基板と第２基板との間に上下に互いに離れて設けられ，第１基板と第２基板との間の空間を区画して複数の放電セルを形成する複数の下部隔壁及び上部隔壁と，第１基板上に形成される複数のアドレス電極と，アドレス電極を覆うように形成される第１誘電体層と，下部隔壁と上部隔壁との間に設けられ，放電セルの内部に面放電を起こすように配置される複数の第１維持電極及び第２維持電極と，第１維持電極及び第２維持電極を覆うように形成される第２誘電体層と，放電セルの内壁に形成される蛍光体層と，を備えることを特徴とする，プラズマディスプレイパネルが提供される。
【００１７】
また，下部隔壁は，第１下部隔壁と，第１下部隔壁と交差する第２下部隔壁とから構成され，上部隔壁は，第１上部隔壁と，第１上部隔壁と交差する第２上部隔壁とから構成されてもよい。さらに，第１維持電極及び第２維持電極は，第１下部隔壁と第１上部隔壁との間，又は第２下部隔壁と第２上部隔壁との間のうちいずれかに位置してもよい。
【００１８】
また，第１下部隔壁及び第１上部隔壁は，アドレス電極と平行で，第２下部隔壁及び第２上部隔壁は，アドレス電極と直交してもよい。さらに，第１維持電極及び第２維持電極は，第１下部隔壁と第１上部隔壁との間に位置してもよい。
【００１９】
また，第２下部隔壁と第２上部隔壁との間には，複数の第１維持電極を相互に電気的に連結する第１連結電極と，複数の第２維持電極を相互に電気的に連結する第２連結電極とを交互に設けてもよい。
【００２０】
また，第２誘電体層の表面には，保護膜を形成してもよい。
【００２１】
また，第２基板と上部隔壁との間に設けられ，放電セルの内部に面放電を起こすように配置される複数の第３維持電極及び第４維持電極と，第３維持電極及び第４維持電極を覆うように形成される第３誘電体層と，をさらに備えてもよい。
【００２２】
また，上部隔壁は，第１上部隔壁と，第１上部隔壁と交差する第２上部隔壁とから構成され，第３維持電極及び第４維持電極は，第１上部隔壁又は第２上部隔壁のうちいずれかと，第２基板との間に位置してもよい。
【００２３】
また，第１上部隔壁は，アドレス電極と平行で，第２上部隔壁は，アドレス電極と直交してもよい。さらに，第３維持電極及び第４維持電極は，第１上部隔壁と第２基板との間に位置してもよい。
【００２４】
また，第２上部隔壁と第２基板との間には，複数の第３維持電極を相互に電気的に連結する第３連結電極と，複数の第４維持電極を相互に電気的に連結する第４連結電極とを交互に設けてもよい。
【００２５】
また，第３誘電体層の表面には，保護膜を形成してもよい。
【発明の効果】
【００２６】
以上説明したように，本発明によれば，輝度及び発光効率を向上させ，高画質を具現可能である。
【発明を実施するための最良の形態】
【００２７】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２８】
（第１の実施形態）
まず，本発明の第１実施形態にかかるＰＤＰについて説明する。図３は，本発明の第１実施形態に係るＰＤＰの概略的な平面図である。図４は，本発明の第１実施形態に係るＰＤＰで隔壁上に配置された電極を示す斜視図である。そして，図５は，図３に示すＰＤＰのＶ−Ｖ’線の断面図であり，図６は，図３に示すＰＤＰのＶＩ−ＶＩ’線の断面図である。
【００２９】
図３〜図６に示すように，下部基板の第１基板１１０と上部基板の第２基板１２０とは，所定間隔離れて互いに対向するように配置されている。第１基板１１０としては，一般的にガラス基板が使用される。そして，第１基板１１０上には，複数のアドレス電極１１１が互いに平行に形成されており，このようなアドレス電極１１１は，第１基板１１０上に形成される第１誘電体層１１２によって覆われる。第２基板１２０としては，可視光が透過されうるガラス基板が一般的に使用される。
【００３０】
第１基板１１０と第２基板１２０との間には，複数の隔壁が設けられている。隔壁は，第１基板１１０と第２基板１２０との間の空間を区画して，プラズマ放電が起こる複数の放電セル１１４を形成し，互いに隣接する放電セル１１４の間の電気的，光学的なクロストークを防止する。このような隔壁は，第１隔壁１１３ａと，第１隔壁１１３ａと交差する第２隔壁１１３ｂとから構成される。ここで，第１隔壁１１３ａは，アドレス電極１１１と平行な方向に形成され，第２隔壁１１３ｂは，アドレス電極１１１と直交する方向に形成されることが好ましい。
【００３１】
放電セル１１４の内部には，プラズマ放電時に紫外線を発生させる放電ガスが満たされるが，このような放電ガスとしては，ＮｅガスとＸｅガスとが混合されたガスが一般的に使用される。そして，放電セル１１４の内壁，具体的には，第１誘電体層１１２の上面及び隔壁の側面には，それぞれ赤色（Ｒ），緑色（Ｇ），青色（Ｂ）の蛍光体層１１５が所定厚さに塗布される。蛍光体層１１５は，放電によって発生した紫外線によって励起されることによって，所定色の可視光を発生させる。
【００３２】
第２基板１２０と第１隔壁１１３ａとの間には，第１維持電極１２１ａ及び第２維持電極１２１ｂが放電セル１１４に対応して対をなしている。ここで，第１維持電極１２１ａ及び第２維持電極１２１ｂは，アドレス電極１１１に平行な方向に配置されて，放電セル１１４の内部に面放電を起こす。そして，第２基板１２０と第２隔壁１１３ｂとの間には，複数の第１維持電極１２１ａを相互に電気的に連結させる第１連結電極１２２ａと，複数の第２維持電極１２１ｂを相互に電気的に連結させる第２連結電極１２２ｂとが交互に設けられている。ここで，第１連結電極１２２ａと第２連結電極１２２ｂとは，放電セル１１４を介して互いに対向するように配置され，放電セル１１４の内部に対向放電を起こす。一方，図面には，第１連結電極１２２ａ及び第２連結電極１２２ｂの高さが，第１維持電極１２１ａ及び第２維持電極１２１ｂの高さと同じく示されているが，第１連結電極１２２ａ及び第２連結電極１２２ｂの高さは，第１維持電極１２１ａ及び第２維持電極１２１ｂの高さより低くても，高くても良い。第１連結電極１２２ａ及び第２連結電極１２２ｂの高さが，第１維持電極１２１ａ及び第２維持電極１２１ｂの高さより低い場合には，第１連結電極１２２ａ及び第２連結電極１２２ｂと，第２基板１２０とのギャップを通してガスが移動しうるため，ガスの排出が容易であり，放電時にプライミング粒子の移動によって放電電圧も低くなる。そして，第１連結電極１２２ａ及び第２連結電極１２２ｂの高さが，第１維持電極１２１ａ及び第２維持電極１２１ｂの高さより高い場合には，対向放電のための電界が多く形成されるため，放電電圧が低くなる。
【００３３】
第１維持電極１２１ａ及び第２維持電極１２１ｂ，第１連結電極１２２ａ及び第２連結電極１２２ｂは，第２誘電体層１２３によって覆われている。そして，第２基板１２０の下面及び第２誘電体層１２３の表面には保護膜１２４が形成されている。保護膜１２４は，プラズマ粒子のスパッタリングによる第２基板１２０及び第２誘電体層１２３の損傷を防止し，２次電子を放出して放電電圧を下げる役割を行うものであって，一般的にＭｇＯからなる。
【００３４】
上記のような構造を有するＰＤＰでは，互いに隣接する第１隔壁１１３ａの上部にそれぞれ対をなす第１維持電極１２１ａ又は第２維持電極１２１ｂのうち，いずれか一つ（例えば，二つの第１維持電極）とアドレス電極１１１との間にアドレス放電が起こる。したがって，本発明では，アドレス放電が二つの維持電極とアドレス電極１１１との間で起こるため，従来のＰＤＰより迅速なアドレッシングが可能となり，アドレス放電電圧も下げることができる。
【００３５】
次いで，放電セル１１４の内部では維持放電が起こる。このような維持放電は，互いに隣接する第１隔壁１１３ａの上部に設けられた第１維持電極１２１ａ及び第２維持電極１２１ｂに所定電圧が印加されることによって開始される。ここで，第１維持電極１２１ａ及び第２維持電極１２１ｂには，それぞれ第１連結電極１２２ａ及び第２連結電極１２２ｂを介して電圧が印加される。このように開始される維持放電は，第１維持電極１２１ａと第２維持電極１２１ｂとの間で面放電の形態で起こる。ここで，放電セル１１４の内部には，第１維持電極１２１ａ及び第２維持電極１２１ｂにより形成された電界が密集するため，維持放電が円滑に開始される。そして，維持放電が開始された後には，第１維持電極１２１ａと第２維持電極１２１ｂとの間で面放電が起こるだけでなく，互いに対向するように配置される第１連結電極１２２ａと第２連結電極１２２ｂとの間で対向放電も起こる。これにより，放電セル１１４の内部には電界がさらに密集して形成されるため，維持放電電圧を下げることができる。また，放電セル１１４のボリュームが減るほど，電界はさらに密集して形成されるため，本発明に係るＰＤＰは高画質の具現に有効である。
【００３６】
上記のようなＰＤＰでは，上部基板である第２基板１２０上に誘電体層を形成する必要がないため，放電セル１１４から発生した可視光の透過率が向上する。これにより，パネルの輝度及び発光効率が向上する。また，第２基板上に抵抗が大きい導電性物質であるＩＴＯを形成する必要がなくなる。
【００３７】
図１に示す従来のＰＤＰと，図３に示す本発明の第１実施形態に係るＰＤＰとの発光効率を実験してみたが，本発明の第１実施形態に係るＰＤＰ（一対の維持電極の間の間隔が８ｍｍである場合）は，従来のＰＤＰより発光効率が約３２％向上したことが分かった。ここで，放電セルの内部に満たされる放電ガスとしては，Ｎｅと５％のＸｅとを混合したガスを使用し，放電ガスの圧力は１０Ｔｏｒｒとした。
【００３８】
（第２の実施形態）
次に，本発明の第２実施形態にかかるＰＤＰについて説明する。図７は，本発明の第２実施形態に係るＰＤＰで，隔壁上に配置された電極を示す斜視図である。そして，図８は，本発明の第２実施形態に係るＰＤＰの断面図である。以下では，第１実施形態と異なる点を中心に説明する。
【００３９】
図７及び図８に示すように，下部基板である第１基板２１０と上部基板である第２基板２２０とが所定間隔離れて互いに対向するように配置されている。第１基板２１０の上には，複数のアドレス電極２１１が互いに平行に形成されており，このようなアドレス電極２１１は，第１誘電体層２１２によって覆われている。
【００４０】
第１基板２１０と第２基板２２０との間には，上下に互いに離れた複数の下部隔壁及び上部隔壁が設けられている。このような下部隔壁及び上部隔壁は，第１基板２１０と第２基板２２０との間の空間を区画して複数の放電セル２１４を形成する。下部隔壁は，第１下部隔壁２１３ａと，第１下部隔壁２１３ａと交差する第２下部隔壁２１３ｂとから構成される。そして，上部隔壁は，第１上部隔壁２３０ａと，第１上部隔壁２３０ａと交差する第２上部隔壁２３０ｂとから構成される。ここで，第１下部隔壁２１３ａ及び第１上部隔壁２３０ａは，アドレス電極２１１と平行な方向に形成され，第２下部隔壁２１３ｂ及び第２上部隔壁２３０ｂは，アドレス電極２１１と直交する方向に形成されることが好ましい。
【００４１】
放電セル２１４の内部には，プラズマ放電時に紫外線を発生させる放電ガスが満たされる。そして，放電セル２１４の内壁，具体的には，第１誘電体層２１２の上面及び下部隔壁等の側面，第２基板２２０の下面には，蛍光体層２１５が所定厚さに塗布される。
【００４２】
第１下部隔壁２１３ａと第１上部隔壁２３０ａとの間には，第１維持電極２２３ａ及び第２維持電極２２３ｂが放電セル２１４に対応して対をなして設けられている。そして，第１上部隔壁２３０ａと第２基板２２０との間には，第３維持電極２２１ａ及び第４維持電極２２１ｂが放電セル２１４に対応して対をなして設けられている。ここで，第１維持電極２２３ａ及び第２維持電極２２３ｂ，そして第３維持電極２２１ａ及び第４維持電極２２１ｂは，アドレス電極２１１に平行な方向に配置されて放電セル２１４の内部に面放電を起こす。
【００４３】
第２下部隔壁２１３ｂと第２上部隔壁２３０ｂとの間には，複数の第１維持電極２２３ａを相互に電気的に連結させる第１連結電極２２４ａと，複数の第２維持電極２２３ｂを相互に電気的に連結させる第２連結電極２２４ｂとが交互に設けられている。そして，第２上部隔壁２３０ｂと第２基板２２０との間には，複数の第３維持電極２２１ａを相互に電気的に連結させる第３連結電極２２２ａと，複数の第４維持電極２２１ｂを相互に電気的に連結させる第４連結電極２２２ｂとが交互に設けられている。ここで，第１連結電極２２４ａ及び第２連結電極２２４ｂ，そして第３連結電極２２２ａ及び第４連結電極２２２ｂは，放電セル２１４を介して互いに対向するように配置されて，放電セル２１４の内部に対向放電を起こす。一方，第１連結電極２２４ａ及び第２連結電極２２４ｂの高さは，第１維持電極２２３ａ及び第２維持電極２２３ｂの高さより低くても高くてもよい。そして，第３連結電極２２２ａ及び第４連結電極２２２ｂは，第３維持電極２２１ａ及び第４維持電極２２１ｂの高さより低くても高くても良い。
【００４４】
第１維持電極２２３ａ及び第２維持電極２２３ｂ，第１連結電極２２４ａ及び第２連結電極２２４ｂは，第２誘電体層２３３によって覆われており，第３維持電極２２１ａ及び第４維持電極２２１ｂ，第３連結電極２２２ａ及び第４連結電極２２２ｂは，第３誘電体層２３１によって覆われている。そして，上部隔壁，第２誘電体層２３３及び第３誘電体層２３１の表面には，保護膜２２４が形成されている。
【００４５】
第２実施形態のような構造のＰＤＰでは，第１実施形態より第１維持電極２２３ａ及び第２維持電極２２３ｂが，アドレス電極２１１の近くに位置しているため，アドレス放電がさらに容易に起こり，アドレス放電電圧を下げることができる。また，第１維持電極２２３ａ及び第２維持電極２２３ｂによる面放電と，第３維持電極２２１ａ及び第４維持電極２２１ｂによる面放電により，維持放電がさらに円滑に開始される。そして，維持放電が開始された後には，上記の面放電の他に，第１連結電極２２４ａ及び第２連結電極２２４ｂによる対向放電と，第３連結電極２２２ａ及び第４連結電極２２２ｂによる対向放電が起こるため，維持放電電圧を下げることができる。
【００４６】
（第３の実施形態）
次に，本発明の第３実施形態にかかるＰＤＰについて説明する。図９は，本発明の第３実施形態に係るＰＤＰで，隔壁上に配置された電極を示す斜視図である。そして，図１０は，本発明の第３実施形態に係るＰＤＰの断面図である。以下では，第１実施形態及び第２実施形態と異なる点を中心に説明する。
【００４７】
図９及び図１０に示すように，下部基板である第１基板３１０と上部基板である第２基板３２０とが所定間隔離れて互いに対向するように配置されて，その間に複数の放電セル３１４を形成する。第１基板３１０上には，複数のアドレス電極３１１が互いに平行に形成されており，このようなアドレス電極３１１は，第１誘電体層３１２によって覆われている。
【００４８】
第１基板３１０と第２基板３２０との間には，上下に互いに離れた複数の下部隔壁及び上部隔壁が設けられている。下部隔壁は，アドレス電極３１１と平行な第１下部隔壁３１３ａ，及びアドレス電極３１１と直交する第２下部隔壁３１３ｂから構成される。そして，上部隔壁は，第１下部隔壁３１３ａと平行な第１上部隔壁３３０ａ，及び第２下部隔壁３１３ｂと平行な第２上部隔壁３３０ｂから構成される。放電セル３１４の内部には放電ガスが満たされる。そして，放電セル３１４の内壁，具体的には，第１誘電体層３１２の上面及び下部隔壁等の側面，第２基板３２０の下面及び上部隔壁等の側面に，蛍光体層３１５が所定の厚さで塗布される。
【００４９】
第１下部隔壁３１３ａと第１上部隔壁３３０ａとの間には，第１維持電極３２１ａ及び第２維持電極３２１ｂが，放電セル３１４に対応して対をなして設けられている。ここで，第１維持電極３２１ａ及び第２維持電極３２１ｂは，アドレス電極３１１と平行な方向に配置され，放電セル３１４の内部に面放電を起こす。そして，第２下部隔壁３１３ｂと第２上部隔壁３３０ｂとの間には，複数の第１維持電極３２１ａを相互に電気的に連結させる第１連結電極３２２ａと，複数の第２維持電極３２１ｂを相互に電気的に連結させる第２連結電極３２２ｂとが交互に設けられている。ここで，第１連結電極３２２ａ及び第２連結電極３２２ｂは，放電セル３１４を介して互いに対向するように配置され，放電セル３１４の内部に対向放電を起こす。一方，第１連結電極３２２ａ及び第２連結電極３２２ｂの高さは，第１維持電極３２１ａ及び第２維持電極３２１ｂの高さより低くても高くても良い。そして，第１維持電極３２１ａ及び第２維持電極３２１ｂは，第２誘電体層３３１によって覆われており，第２誘電体層３３１の表面には保護膜３２４が形成されている。
【００５０】
以上の実施形態では，アドレス電極が形成される第１基板が下部基板となり，第２基板が上部基板となる場合が説明されたが，本発明は，アドレス電極が形成される第１基板が上部基板となり，第２基板が下部基板となる場合にも適用されうる。
【００５１】
本発明に係るＰＤＰによれば，次のような効果がある。
【００５２】
第一に，アドレス電極と維持電極との間に迅速なアドレス放電が起こり，アドレス放電電圧を下げることができる。
【００５３】
第二に，放電セルの内部に維持電極及び連結電極によって形成された電界が集中するため，維持放電が円滑に起こり，維持放電電圧も下げることができる。また，放電セルのボリュームが減るほど，電界はさらに密集して形成されるため，本発明は，高画質の具現にさらに有効である。
【００５４】
第三に，放電初期には，第１隔壁上に設けられた維持電極により放電が面放電型で開始され，以後には，第１隔壁と直交する第２隔壁上に設けられた連結電極により放電が対向型で広がるという長所がある。
【００５５】
第四に，維持電極及び連結電極が隔壁上に位置しており，上部基板上に誘電体層を形成する必要がないため，放電セルから発生する可視光の透過率が高まる。これにより，輝度及び発光効率が向上しうる。そして，ＩＴＯのような抵抗の大きな導電性の物質を第２基板上に形成する必要がなくなる。
【００５６】
第五に，放電セルの内部の全体に電界が均一に形成されるため，放電によって発生した紫外線が蛍光体層に均一に伝えられ，これにより，輝度及び発光効率が向上する。
【００５７】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００５８】
本発明は，平板ディスプレイ装置であるＰＤＰに関連した技術分野に適用可能である。
【図面の簡単な説明】
【００５９】
【図１】従来のＰＤＰの分離斜視図である。
【図２】図１に示すＰＤＰの断面図である。
【図３】本発明の第１実施形態に係るＰＤＰの概略的な平面図である。
【図４】本発明の第１実施形態に係るＰＤＰで隔壁上に配置された電極を示す斜視図である。
【図５】図３に示すＰＤＰのＶ−Ｖ’線の断面図である。
【図６】図３に示すＰＤＰのＶＩ−ＶＩ’線の断面図である。
【図７】本発明の第２実施形態に係るＰＤＰで隔壁上に配置された電極を示す斜視図である。
【図８】本発明の第２実施形態に係るＰＤＰの断面図である。
【図９】本発明の第３実施形態に係るＰＤＰで隔壁上に配置された電極を示す斜視図である。
【図１０】本発明の第３実施形態に係るＰＤＰの断面図である。
【符号の説明】
【００６０】
１１０    第１基板
１１１    アドレス電極
１１２    第１誘電体層
１１３ａ    第１隔壁
１１３ｂ    第２隔壁
１１４    放電セル
１１５    蛍光体層
１２０    第２基板
１２１ａ    第１維持電極
１２１ｂ    第２維持電極
１２２ａ    第１連結電極
１２２ｂ    第２連結電極
１２３    第２誘電体層
１２４    保護膜
【図１】
2006253128.tif 000003
【図２】
2006253128.tif 000004
【図３】
2006253128.tif 000005
【図４】
2006253128.tif 000006
【図５】
2006253128.tif 000007
【図６】
2006253128.tif 000008
【図７】
2006253128.tif 000009
【図８】
2006253128.tif 000010
【図９】
2006253128.tif 000011
【図１０】
2006253128.tif 000012